(57)【要約】　　　（修正有）【課題】特に、中運転、弱運転の運転モードにおける室温の立ち上がりを改善できるファン付温水式輻射暖房装置を提供すること。【解決手段】室内温度、温水温度等の現在温度を検出する温度検出センサ１３、１４と、強運転、中運転、弱運転等の運転モードを設定する切り替えスイッチと、前記温度検出センサ１３にて検出された現在温度と各運転モードにおける設定温度とに応じて熱源機からの温水の供給を制御する開閉弁１１を制御し第１及び第２熱交換器５、８を流れる温水の流量を調整する制御装置とを設け、この制御装置は各運転モードにおける運転開始当初の所定時間、開閉弁１１を連続して開弁させると共に温風吹き出し口３から吹き出すための送風機９を運転するように立ち上がり運転制御を行う。【選択図】　図２
2004132623.tif 000002
【特許請求の範囲】
【請求項１】
熱源機からの温水の供給を制御する開閉弁と、この開閉弁に接続されて暖房装置本体前面を形成する放熱板の背面に配設される第１熱交換器と、この第１熱交換器に一端が接続されると共に他端が前記熱源機に接続される第２熱交換器と、空気吸込み口から吸込まれ前記第２熱交換器にて熱交換されて温度上昇した空気を温風吹き出し口から吹き出すための送風機とを備えたファン付温水式輻射暖房装置において、室内温度、温水温度等の現在温度を検出する温度検出センサと、強運転、中運転、弱運転等の運転モードを設定する運転モード設定手段と、前記温度検出センサにて検出された現在温度と各運転モードにおける設定温度とに応じて前記開閉弁を制御し前記第１及び第２熱交換器を流れる温水の流量を調整する制御手段とを設け、この制御手段は各運転モードにおける運転開始当初の所定時間、前記開閉弁を連続して開弁させると共に前記送風機を運転するように立ち上がり運転制御を行うことを特徴とするファン付温水式輻射暖房装置。
【請求項２】
熱源機からの温水の供給を制御する開閉弁と、この開閉弁に接続されて暖房装置本体前面を形成する放熱板の背面に配設される第１熱交換器と、この第１熱交換器に一端が接続されると共に他端が前記熱源機に接続される第２熱交換器と、空気吸込み口から吸込まれ前記第２熱交換器にて熱交換されて温度上昇した空気を温風吹き出し口から吹き出すための送風機とを備えたファン付温水式輻射暖房装置において、室内温度、温水温度等の現在温度を検出する温度検出センサと、強運転、中運転、弱運転等の運転モードを設定する運転モード設定手段と、前記温度検出センサにて検出された現在温度と各運転モードにおける設定温度とに応じて前記開閉弁を制御し前記第１及び第２熱交換器を流れる温水の流量を調整する制御手段とを設け、この制御手段は運転開始時の温水温度又は温水温度と要求温水温度との温度偏差により決められる各運転モードにおける運転開始当初の所定時間、前記開閉弁を連続して開弁させると共に前記送風機を運転するように立ち上がり運転制御を行うことを特徴とするファン付温水式輻射暖房装置。
【請求項３】
熱源機からの温水の供給を制御する開閉弁と、この開閉弁に接続されて暖房装置本体前面を形成する放熱板の背面に配設される第１熱交換器と、この第１熱交換器に一端が接続されると共に他端が前記熱源機に接続される第２熱交換器と、空気吸込み口から吸込まれ前記第２熱交換器にて熱交換されて温度上昇した空気を温風吹き出し口から吹き出すための送風機とを備えたファン付温水式輻射暖房装置において、室内温度、温水温度等の現在温度を検出する温度検出センサと、強運転、中運転、弱運転等の運転モードを設定する運転モード設定手段と、前記温度検出センサにて検出された現在温度と各運転モードにおける設定温度とに応じて前記開閉弁を制御し前記第１及び第２熱交換器を流れる温水の流量を調整する制御手段とを設け、この制御手段は運転開始前の運転状況に応じて、各運転モードにおける運転開始当初の所定時間、前記開閉弁を連続して開弁させると共に前記送風機を運転するように立ち上がり運転制御を行うことを特徴とするファン付温水式輻射暖房装置。
【請求項４】
熱源機からの温水の供給を制御する開閉弁と、この開閉弁に接続されて暖房装置本体前面を形成する放熱板の背面に配設される第１熱交換器と、この第１熱交換器に一端が接続されると共に他端が前記熱源機に接続される第２熱交換器と、空気吸込み口から吸込まれ前記第２熱交換器にて熱交換されて温度上昇した空気を温風吹き出し口から吹き出すための送風機とを備えたファン付温水式輻射暖房装置において、室内温度、温水温度等の現在温度を検出する温度検出センサと、強運転、中運転、弱運転等の運転モードを設定する運転モード設定手段と、前記温度検出センサにて検出された現在温度と各運転モードにおける設定温度とに応じて開閉弁を制御し、前記第１及び第２熱交換器を流れる温水の流量を調整する制御手段とを設け、この制御手段は運転開始前の運転状況に応じて、運転開始時の温水温度又は温水温度と要求温水温度との温度偏差により決められる各運転モードにおける運転開始当初の所定時間、前記開閉弁を連続して開弁させると共に前記送風機を運転するように立ち上がり運転制御を行うことを特徴とするファン付温水式輻射暖房装置。
【発明の詳細な説明】
【０００１】
【発明の属する技術分野】
本発明は、熱源機からの温水の供給を制御する開閉弁と、この開閉弁に接続されて暖房装置本体前面を形成する放熱板の背面に配設される第１熱交換器と、この第１熱交換器に一端が接続されると共に他端が前記熱源機に接続される第２熱交換器と、空気吸込み口から吸込まれ前記第２熱交換器にて熱交換されて温度上昇した空気を温風吹き出し口から吹き出すための送風機とを備えたファン付温水式輻射暖房装置に関する。
【０００２】
【従来の技術】
この種のファン付温水式輻射暖房装置は、前記開閉弁と送風機とが同時にオン、オフするように制御され、また、室内温度が上限値に達すると送風機の運転を停止し、下限値まで低下すると送風機の運転を開始するように制御し、さらに送風機の運転開始時には送風機の運転を所定時間低速運転し、冷風の吐出を軽減する技術（特許文献参照）が知られている。
【０００３】
従って、室内温度に基づく送風機の運転開始及び停止に伴い、オーバーシュートやアンダーシュートが発生し易く、使用環境負荷や季節の変わり目などに使用環境が暖まり過ぎる場合があり、使用環境下では温度斑が発生するうえ、開閉弁の開閉頻度や送風機の風量切り替え頻度が高くなる制御となっている。
【０００４】
また、使用者により送風機の運転モードが選択できて「自動運転」が選択された場合には、運転開始時の温度設定と現在温度との偏差により、送風機が強・中・弱運転等に自動的に切換わって、室温の立ち上がりには問題無い技術も知られている。
【０００５】
【特許文献】
特開平７−１１９９９２号公報
【０００６】
【発明が解決しようとする課題】
しかし、「強運転」以外の例えば「弱運転」モード等に選択されていた場合には、室温の立ち上がりが遅い場合があるという問題があった。
【０００７】
そこで本発明は、上述の事情を考慮してなされたものであり、ファン付温水式輻射暖房装置における室温の立ち上がりを改善することを目的とする。
【０００８】
【課題を解決するための手段】
このため第１の発明は、熱源機からの温水の供給を制御する開閉弁と、この開閉弁に接続されて暖房装置本体前面を形成する放熱板の背面に配設される第１熱交換器と、この第１熱交換器に一端が接続されると共に他端が前記熱源機に接続される第２熱交換器と、空気吸込み口から吸込まれ前記第２熱交換器にて熱交換されて温度上昇した空気を温風吹き出し口から吹き出すための送風機とを備えたファン付温水式輻射暖房装置において、室内温度、温水温度等の現在温度を検出する温度検出センサと、強運転、中運転、弱運転等の運転モードを設定する運転モード設定手段と、前記温度検出センサにて検出された現在温度と各運転モードにおける設定温度とに応じて前記開閉弁を制御し前記第１及び第２熱交換器を流れる温水の流量を調整する制御手段とを設け、この制御手段は各運転モードにおける運転開始当初の所定時間、前記開閉弁を連続して開弁させると共に前記送風機を運転するように立ち上がり運転制御を行うことを特徴とする。
【０００９】
第２の発明は、熱源機からの温水の供給を制御する開閉弁と、この開閉弁に接続されて暖房装置本体前面を形成する放熱板の背面に配設される第１熱交換器と、この第１熱交換器に一端が接続されると共に他端が前記熱源機に接続される第２熱交換器と、空気吸込み口から吸込まれ前記第２熱交換器にて熱交換されて温度上昇した空気を温風吹き出し口から吹き出すための送風機とを備えたファン付温水式輻射暖房装置において、室内温度、温水温度等の現在温度を検出する温度検出センサと、強運転、中運転、弱運転等の運転モードを設定する運転モード設定手段と、前記温度検出センサにて検出された現在温度と各運転モードにおける設定温度とに応じて前記開閉弁を制御し前記第１及び第２熱交換器を流れる温水の流量を調整する制御手段とを設け、この制御手段は運転開始時の温水温度又は温水温度と要求温水温度との温度偏差により決められる各運転モードにおける運転開始当初の所定時間、前記開閉弁を連続して開弁させると共に前記送風機を運転するように立ち上がり運転制御を行うことを特徴とする。
【００１０】
第３の発明は、熱源機からの温水の供給を制御する開閉弁と、この開閉弁に接続されて暖房装置本体前面を形成する放熱板の背面に配設される第１熱交換器と、この第１熱交換器に一端が接続されると共に他端が前記熱源機に接続される第２熱交換器と、空気吸込み口から吸込まれ前記第２熱交換器にて熱交換されて温度上昇した空気を温風吹き出し口から吹き出すための送風機とを備えたファン付温水式輻射暖房装置において、室内温度、温水温度等の現在温度を検出する温度検出センサと、強運転、中運転、弱運転等の運転モードを設定する運転モード設定手段と、前記温度検出センサにて検出された現在温度と各運転モードにおける設定温度とに応じて前記開閉弁を制御し前記第１及び第２熱交換器を流れる温水の流量を調整する制御手段とを設け、この制御手段は運転開始前の運転状況に応じて、各運転モードにおける運転開始当初の所定時間、前記開閉弁を連続して開弁させると共に前記送風機を運転するように立ち上がり運転制御を行うことを特徴とする。
【００１１】
第４の発明は、熱源機からの温水の供給を制御する開閉弁と、この開閉弁に接続されて暖房装置本体前面を形成する放熱板の背面に配設される第１熱交換器と、この第１熱交換器に一端が接続されると共に他端が前記熱源機に接続される第２熱交換器と、空気吸込み口から吸込まれ前記第２熱交換器にて熱交換されて温度上昇した空気を温風吹き出し口から吹き出すための送風機とを備えたファン付温水式輻射暖房装置において、室内温度、温水温度等の現在温度を検出する温度検出センサと、強運転、中運転、弱運転等の運転モードを設定する運転モード設定手段と、前記温度検出センサにて検出された現在温度と各運転モードにおける設定温度とに応じて開閉弁を制御し、前記第１及び第２熱交換器を流れる温水の流量を調整する制御手段とを設け、この制御手段は運転開始前の運転状況に応じて、運転開始時の温水温度又は温水温度と要求温水温度との温度偏差により決められる各運転モードにおける運転開始当初の所定時間、前記開閉弁を連続して開弁させると共に前記送風機を運転するように立ち上がり運転制御を行うことを特徴とする。
【００１２】
【発明の実施の形態】
以下、本発明の第１の実施の形態を図面に基づき説明する。図１はファン付温水式輻射暖房装置１の斜視図で、図２は一部破断せるファン付温水式輻射暖房装置１の正面図で、図３はファン付温水式輻射暖房装置１の縦断側面図であり、ファン付温水式輻射暖房装置１は図示しない熱源機から高温の温水が循環供給されて、その温水を利用して送風機で温風を吹き出すことで室内の暖房及び放熱板による輻射暖房を行うもので、以下その構成と動作について詳述する。
【００１３】
暖房装置本体の上面にフィルター１０が設けられた空気吸込み口２、前面下部に温風吹き出し口３が形成されている。そして、暖房装置本体の前面には、アルミニウム等で製作された放熱板４が配設され、この放熱板４の背面に第１熱交換器５を設け、この第１熱交換器５と背面板６との間の送風通路７内に第２熱交換器８及び送風機９を配設する。この送風機９は、ファンモータ９Ａとクロスフローファン９Ｂとから構成される。
【００１４】
１１は図示しない熱源機からの高温水の供給を制御する開閉弁で、この開閉弁１１には温水パイプを折り返して形成された前記第１熱交換器５が往き管５Ａを介して接続され、更にこの第１熱交換器５にはフィン熱交換器である前記第２熱交換器８が接続され、この第２熱交換器８は継ぎ手１２を介して前記熱源機に接続されている。
【００１５】
１３は暖房装置本体の側面部に設けられる室温検出センサで、サーミスタなどで構成され、現在の室内温度を検出する。１４は前記第２熱交換器８への往き管８Ａに設けられる温水温度検出センサで、サーミスタなどで構成され、温水の温度を検出する。この温水温度検出センサ１４は第１熱交換器５や、第２熱交換器８やこれらの熱交換器の入口又は出口に設けても良い。
【００１６】
１５は使用者により各種操作がなされる操作パネルで、運転の入／切を行なうための運転スイッチ１６や、運転中に点灯する運転表示ランプ１７、室内の設定温度を設定する＋（プラス）スイッチ１９や−（マイナス）スイッチ２０、設定温度、現在温度及び時刻を表示する表示部２１や、入りタイマースイッチ２２及び入りタイマー表示ランプ２３、切りタイマースイッチ２４及び切りタイマー表示ランプ２５、指示スイッチとしての風量の切り替えスイッチ２６、運転モード表示部２７などが設けられている。そして、運転スイッチ１６を操作して運転が開始するときの初期状態では「自動運転モード」であり、運転モード表示部２７の「自動」のランプ２７Ａが点灯し、風量の切り替えスイッチ２６を操作する度に送風機９による強風である「強運転モード」、強風より風量が少ない中風である「中運転モード」、中風より風量が少ない弱風である「弱運転モード」、送風機９をオフ、即ち停止する「送風停止モード」に切り替り、対応するランプが点灯するものである。
【００１７】
次に、図６のファン付温水式輻射暖房装置１の制御ブロック図について説明する。３０は本暖房装置１を制御するマイクロコンピュータなどから構成される制御装置で、本暖房装置１を統括制御するＣＰＵ、ＲＡＭ（ランダム・アクセス・メモリ）及びＲＯＭ（リ−ド・オンリー・メモリ）などを備え、ＣＰＵは前記ＲＡＭに記憶された各種データ、例えば切り替えスイッチ２６による運転モードや運転モードに応じた設定温度と室温検出センサ１３の検出した現在温度の偏差に応じて開閉弁１１を開閉制御したり送風機９をオン、オフ制御するものであり、前記ＲＯＭに格納されたプログラムに従い、本暖房装置１の運転動作に係る動作を統括制御する。
【００１８】
そして、その入力側には各スイッチ１６、１９、２０、２２、２４及び各検出センサ１３、１４などが接続され、その出力側には表示部２１、各ランプ１７、２３、２５、２７、運転モード表示部２７、開閉弁１１及び送風機９などが接続されている。
【００１９】
以上の構成により、以下記憶装置であるＲＡＭに格納された図７の制御データなどに基づき実施形態の動作について説明する。先ず使用者が暖房装置１の運転を開始させるために運転スイッチ１６を押圧すると、運転開始時の初期状態は「自動運転モード」であり、この運転スイッチ１６の押圧後に＋（プラス）スイッチ１９や−（マイナス）スイッチ２０を操作して、例えば１８℃に室内の設定温度を設定する。
【００２０】
また、制御装置３０は現在温度と前記設定温度との温度偏差に基づいて、開閉弁１１のオン、オフを一定周期（２０分間）で繰り返す制御、即ち図７に示すようなオンする時間とオフする時間が合計で２０分となるように開閉弁１１を制御する。例えば、室温検出センサ１３が１５℃を検出している場合には、現在温度１５℃から設定温度１８℃を引いた温度偏差がマイナス３℃となり、マイナス２．０℃より低いので、制御装置３０は開閉弁１１のオンする時間が２０分間、オフする時間が０分間、即ちオン／オフ周期が２０分間であるので、１周期の全時間がオンとなるように開閉弁１１を制御する。
【００２１】
従って、開閉弁１１が開いて往き管５Ａを介して第１熱交換器５及び第２熱交換器８に熱源機（図示せず）からの温水を供給循環させると共に送風機９を「自動運転モード」で運転させる。尚、この「自動運転モード」では、制御装置３０により現在温度と前記設定温度との温度偏差のレベルに応じて、図７に示すように送風機９の送風量を「強風」、「中風」、「弱風」、「停止」に制御するものである。また、送風機７は温水温度検出センサ１４によって検出した温水温度が４０℃以上で運転し、３５℃以下では停止することで冷風の吹き出しを防止している。
【００２２】
そして、時間の経過と共に温水循環により温水温度検出センサ１４の検出温度が上昇し、検出温度が上限値である４０℃に達すると、制御装置３０は送風機９をオンして強風運転させ、空気吸込み口２から吸込まれた室内空気が主として第２熱交換器８にて熱交換されて温度上昇した後、温風吹き出し口３から強風にて吹き出され、室内の温度斑を回避するような温風暖房が行われ、同時に、第１熱交換器５から熱が放熱板４に伝導し、この放熱板４からの輻射暖房が行なわれる。
【００２３】
そして、上述のように暖房運転がなされ、室内温度が次第に上昇して室温検出センサ１３の検出温度と設定温度との差、即ち温度偏差が減少するのに伴い、図７の制御データに示したように温度偏差が０．５℃ずつ減少するのに伴い開閉弁１１の開閉時間の１周期（オン、オフ時間１周期）である２０分のうちの開時間（ＯＮ時間）が２分ずつ減少し、閉時間（ＯＦＦ時間）が２分ずつ増加し、温水の循環時間が減少して温風暖房及び輻射暖房の能力が次第に減少する。そして、温水循環が停止している間に、第２熱交換器８の温水の温度が低下し、温水温度検出センサ１４の検出温度が下限値である３５℃まで低下すると、制御装置３０が送風機９を停止する。このため、上昇温度が少なく、使用者が冷たいと感じる或いは暖かいと感じないような空気が温風吹き出し口３から吹き出されることが防止される。
【００２４】
そして、設定されていた開閉弁１１の閉時間（ＯＦＦ時間）が経過すると、制御装置３０が動作し、開閉弁１１が開き、温水が第１熱交換器５及び第２熱交換器８に温水が循環する。このため、放熱板４からの輻射暖房が行われ、温水温度検出センサ１４の検出温度が上限値（４０℃）になると、制御装置３０が送風機９を運転させ、空気吸込み口２から吸込まれた室内空気が温度上昇した後、温風吹き出し口３から吹き出され、温風暖房が輻射暖房と共に行われる。
【００２５】
また、室内温度がさらに上昇し、温度偏差が−１．０℃まで減少すると、制御装置３０が動作して送風機９の運転時の風量が強風から中風に切り替わり、室内温度が設定温度より高くなり、温度偏差が＋０．５℃以上になると、送風機９の運転時の風量が中風から弱風に切り替る。更に、温度偏差が＋２．０℃に達すると、制御装置３０により開閉弁１１の開閉時間周期である２０分のうちの開時間が最も短い２分になり、閉時間が１８分になり、また送風機９は停止し、温水が循環する時間が減少して温風暖房及び輻射暖房の能力が最も低下し室内温度の上昇が抑制される。
【００２６】
以後、同様に制御装置３０により現在温度と設定温度との温度偏差に基づき開閉弁１１の開閉が制御されると共に温水温度に基づき送風機９の運転、停止が制御され、輻射暖房と温風暖房とを組み合わせ、オーバーシュートやアンダーシュートを回避し、暖房運転時の室内の温度斑を極力回避できる。また、送風機９の風量が温度偏差に基づき切り替わり、特に低温時の室内の温度斑を回避でき、また、室内温度上昇時の送風機９の運転音を抑え、消費電力の削減を図ることも可能になる。
【００２７】
夜間の就寝時などに使用者が切り替えスイッチ２６を押圧し、「送風停止モード」に切り替えた場合には、図７の制御データの送風機風量の列にカッコ内に示したように、制御装置３０により温水温度検出センサ１４の検出温度及び前記温度偏差とは無関係に送風機９は運転を停止した状態に維持される。この結果、輻射暖房のみによる暖房運転が行われ、送風音が気になる使用環境下でも使用することができ、また、未使用室などの予備暖房として輻射暖房のみを使用でき、使用性が向上する。
【００２８】
尚、運転モードの切り替えスイッチ２６を操作して、「強運転モード」、「中運転モード」、「弱運転モード」にした場合、スイッチ１９、２０の操作と無関係に、設定温度はそれぞれ２６℃、２２℃、１８℃に固定される。この場合も、現在温度と各固定の設定温度との温度偏差に応じて、開閉弁１１の単位時間当りのＯＮ時間が２０分から２分まで、段階的に調整される。
【００２９】
ところで、「強運転モード」、「中運転モード」、「弱運転モード」の固定運転モードが設定された場合、制御装置３０は、上述した温度偏差に応じた通常制御に先立ち、図８に示す立ち上がり改善のための運転制御を行う。
【００３０】
図８において、ステップＳ１で運転スイッチ１６がＯＮになると、ステップＳ２、Ｓ３、Ｓ４で運転モードが判別される。「強運転モード」の場合、ステップＳ５で立ち上がり定数が制御装置３０により算出される。この立ち上がり定数は、図９に示すように、強運転の立ち上がり基準時間６０分に対する強運転立ち上がり実際時間Ｘ分の割合を決めるもので、運転ＯＮ時の温水温度検出センサ１４が検出する第２熱交換器８の温水温度、またはこの温水温度と設定温度との温度偏差（運転ＯＮ時のファン付温水式輻射暖房機内の温水温度と運転ＯＮ時の要求温水温度との偏差）に応じて何％というように決められるものである。
【００３１】
例えば、運転ＯＮ時の温水温度が４０℃以下、または温度偏差が４０℃以下のとき、定数は１００％となり、強運転立ち上がり運転時間（基準時間）は６０分として算出される。また、温水温度が高い（または温度偏差が大きい）ほど、定数は小さく、立ち上がり運転時間は短く設定され、温水温度が７０℃以上、または温度偏差が７０℃以上のとき、定数は２０％となり、立ち上がり運転時間は最短の１２分として算出される。
【００３２】
次に、ステップＳ６で運転経歴の有無が判定される。これは、図１０に示すように、運転開始前の運転経歴を確認するもので、強運転モード時は、過去３０分以内に２０分（間）以上の運転していたかを確認するものである。ここで、この運転経歴がないと、ステップＳ７で、前記制御装置３０内部の立ち上がりタイマーがＸ分にセットされる。このＸ分はステップＳ５での定数算出に基づき設定された立ち上がり運転時間である。
【００３３】
そして、ステップＳ８で、開閉弁１１が連続して全開に制御されると共に送風機９が強回転（高速回転）に制御され、第２熱交換器８の温水温度が高温に維持される。この立ち上がり運転改善のための運転は、ステップＳ９でタイマーがＸ分の経過を確認すると、ステップ１０で終了し、ステップ１１で通常の強運転制御に入る。なお、ステップ６で運転経歴ありと判断され場合は、ステップ６からステップ１０に移り、立ち上がり改善運転をすることなく、ステップ１１で通常の強運転制御（「強運転モード」制御）に入る。
【００３４】
また、ステップＳ３で「中運転モード」が確認されると、ステップＳ１２で立ち上がり定数が算出される。この立ち上がり定数は、図１１に示すように中運転の立ち上がり基準時間５０分に対する中運転立ち上がり実際時間Ｙ分の割合を決めるもので、運転ＯＮ時の温水温度検出センサ１４が検出する第２熱交換器８の温水温度、またはこの温水温度と設定温度との温度偏差（運転ＯＮ時のファン付温水式輻射暖房機内の温水温度と運転ＯＮ時の要求温水温度との偏差）に応じて何％というように決められるものである。
【００３５】
例えば、運転ＯＮ時の温水温度が４０℃以下、または温度偏差が４０℃以下のとき、定数は１００％となり、中運転立ち上がり運転時間（基準時間）は５０分として算出される。また、温水温度が高い（または温度偏差が大きい）ほど、定数は小さく、立ち上がり運転時間は短く設定され、温水温度が７０℃以上、または温度偏差が７０℃以上のとき、定数は２０％となり、立ち上がり運転時間は最短の１０分として算出される。
【００３６】
次に、ステップＳ１３で運転経歴の有無が判定される。これは、図１０に示すように、運転開始前の運転経歴を確認するもので、中運転モード時は、過去４０分以内に３０分（間）以上の運転していたかを確認するものである。ここで、この運転経歴がないと、ステップＳ１４で、前記制御装置３０内部の立ち上がりタイマーがＹ分にセットされる。このＹ分はステップ１２での定数算出に基づき設定された立ち上がり運転時間である。そして、ステップＳ１５で開閉弁１１が連続して全開に制御されると共に送風機９が強回転（高速回転）に制御され、熱交換器６の温水温度が高温に維持される。この立ち上がり運転改善のための運転は、ステップＳ１６でタイマーがＹ分の経過を確認すると、ステップ１７で終了し、ステップ１８で通常の中運転制御に入る。なお、ステップ１３で運転経歴ありと判断され場合は、ステップ１３からステップ１７に移り、立ち上がり改善運転をすることなく、ステップ１８で通常の中運転制御（「中運転モード」制御）に入る。
【００３７】
また、ステップＳ４で「弱運転モード」が判定されると、ステップＳ１９で立ち上がり定数が算出される。この立ち上がり定数は、図１２に示すように、弱運転の立ち上がり基準時間４０分に対する弱運転立ち上がり実際時間Ｚ分の割合を決めるもので、運転ＯＮ時の温水温度検出センサ１４が検出する第２熱交換器８の温水温度、またはこの温水温度と設定温度との温度偏差（運転ＯＮ時のファン付温水式輻射暖房機内の温水温度と運転ＯＮ時の要求温水温度との偏差）に応じて何％というように決められるものである。
【００３８】
例えば、運転ＯＮ時の温水温度が４０℃以下、または温度偏差が４０℃以下のとき、定数は１００％となり、弱運転立ち上がり運転時間（基準時間）は４０分として算出される。また、温水温度が高い（または温度偏差が大きい）ほど、定数は小さく、立ち上がり運転時間は短く設定され、温水温度が７０℃以上、または温度偏差が７０℃以上のとき、定数は２０％となり、立ち上がり運転時間は最短の８分として算出される。
【００３９】
次に、ステップＳ２０で運転経歴の有無が判定される。これは、図１０に示すように、運転開始前の運転経歴を確認するもので、弱運転モード時は、過去５０分以内に４０分（間）以上の運転していたかを確認するものである。ここで、この運転経歴がないと、ステップＳ２１で、前記制御装置３０内部の立ち上がりタイマーがＺ分にセットされる。このＺ分はステップＳ１９での定数算出に基づき設定された立ち上がり運転時間である。そして、ステップＳ２２で開閉弁１１が連続して全開に制御されると共に送風機９が強回転（高速回転）に制御され、第２熱交換器８の温水温度が高温に維持される。この立ち上がり運転改善のための運転は、ステップＳ２３でタイマーがＺ分の経過を確認すると、ステップ２４で終了し、ステップ２５で通常の強運転制御に入る。なお、ステップ２０で運転経歴ありと判断され場合は、ステップ２０からステップ２４に移り、立ち上がり改善運転をすることなく、通常の弱運転制御（「弱運転モード」制御）に入る。
【００４０】
尚、「自動運転モード」に設定されている場合は、ステップＳ２、Ｓ３、Ｓ４を経てステップＳ２６に入り、温水温度や温度偏差、さらには過去の運転経歴に関係なく、最初から通常の自動運転制御（「自動運転モード」制御）が行われる。
【００４１】
上述した実施態様のものでは、室温検出センサ１３にて検出された現在温度と各運転モードにおける設定温度とに応じて開閉弁１１を制御し、第２熱交換器８を流れる温水の流量を調整するものにおいて、強運転、中運転、弱運転の各運転モードにおける運転開始当初の所定時間、開閉弁１１を連続して開弁させる立ち上がり運転が行われるようにしたので、ファン付温水式輻射暖房器における室温の立ち上がりを改善することができ、特に、中運転や弱運転が行われる場合に室温がなかなか上がらないという不具合を解消でき、使用者の使い勝手を向上することができる。
【００４２】
また、この立ち上がり運転時間が運転開始時の温水温度、または温水温度の温度偏差（運転ＯＮ時のファン付温水式輻射暖房機内の温水温度と運転ＯＮ時の要求温水温度との偏差）により決められるようにしたり、運転開始前の運転状況（運転経歴）に応じて立ち上がり運転が行われるようにしたので、過剰な立ち上がり運転が行われないようにでき、使用環境に応じた的確な立ち上がり運転を行うことができる。
【００４３】
なお、以上本発明の実施態様について説明したが、上述の説明に基づいて当業者にとって種々の代替例、修正又は変形が可能であり、本発明の趣旨を逸脱しない範囲で前述の種々の代替例、修正又は変形を包含するものである。
【００４４】
【発明の効果】
以上のように本発明は、ファン付温水式輻射暖房器における室温の立ち上がりを改善することができ、特に、中運転や弱運転が行われる場合に室温がなかなか上がらないという不具合を解消して使用者の使い勝手を向上することができる。
【００４５】
また、この立ち上がり運転時間が運転開始時の温水温度又はこの温水温度と設定温度（要求温水温度）との温度偏差により決められるようにしたり、運転開始前の運転状況（運転経歴）に応じて立ち上がり運転が行われるようにしたので、過剰な立ち上がり運転が行われないようにでき、使用環境に応じた的確な立ち上がり運転を行うことができる。
【図面の簡単な説明】
【図１】ファン付温水式輻射暖房装置の斜視図を示す。
【図２】一部破断せるファン付温水式輻射暖房装置の正面図を示す。
【図３】ファン付温水式輻射暖房装置の縦断側面図を示す。
【図４】要部の分解斜視図を示す。
【図５】操作パネルの平面図を示す。
【図６】本ファン付温水式輻射暖房装置の制御ブロック図を示す。
【図７】制御データを示す図である。
【図８】制御装置の動作説明用のフローチャートである。
【図９】制御装置の強運転時の立ち上がり定数設定例を示す表である。
【図１０】制御装置の運転経歴判定例を示す表である。
【図１１】制御装置の中運転時の立ち上がり定数設定例を示す表である。
【図１２】制御装置の弱運転時の立ち上がり定数設定例を示す表である。
【符号の説明】
１　　ファン付温水式輻射暖房装置
４　　放熱板
５　　第１熱交換器
８　　第２熱交換器
９　　送風機
１１　　開閉弁
１３　室温検出センサ（温度検出センサ）
１４　温水温度検出センサ（温度検出センサ）
２６　切り替えスイッチ（運転モード設定手段）
３０　制御装置（制御手段）
【図１】
2004132623.tif 000003
【図２】
2004132623.tif 000004
【図３】
2004132623.tif 000005
【図４】
2004132623.tif 000006
【図５】
2004132623.tif 000007
【図６】
2004132623.tif 000008
【図７】
2004132623.tif 000009
【図８】
2004132623.tif 000010
【図９】
2004132623.tif 000011
【図１０】
2004132623.tif 000012
【図１１】
2004132623.tif 000013
【図１２】
2004132623.tif 000014